(57)【要約】【課題】精度よく異常電流を検出し、適確に発生した障害に対処することができる電子機器を得る。【解決手段】バッテリ１１と、溶断電流値が所定の電流値であるヒューズ１４と、前記バッテリ１１の出力端子と前記ヒューズ１４との間に接続する電流検出抵抗１３と、前記電流検出抵抗１３および前記ヒューズ１４を介して電源電流が入力される電子回路と、前記電流検出抵抗１３によって検出された電流が、前記電子回路が正常に動作しているときの正常電流値か否かを判断する制御部２とを備え、前記制御部２は、前記電流検出抵抗１３において検出された電流量が正常電流値以上で且つ前記所定の電流値以下のとき、前記電子回路の負荷を、前記電流検出抵抗１３において検出される電流量が前記所定の電流値以上となるよう制御する。【選択図】図１
2010110135.tif 000002
【特許請求の範囲】
【請求項１】
電源部と、
溶断電流値が所定の電流値であるヒューズと、
前記電源部の出力端子と前記ヒューズとの間に接続する電流検出部と、
前記電流検出部および前記ヒューズを介して電源電流が入力される電子回路と、
前記電流検出部によって検出された電流が、前記電子回路が正常に動作しているときの正常電流値か否かを判断する制御部と、
を備え、
前記制御部は、前記電流検出部において検出された電流量が正常電流値以上で且つ前記所定の電流値以下のとき、前記電子回路の負荷を、前記電流検出部において検出される電流量が前記所定の電流値以上となるよう制御することを特徴とする電子機器。
【請求項２】
前記電子部品は、外部へ報知する機能を有し、
前記制御部は、前記電子部品の報知の度合を大きくする制御を行って該電子部品の消費電流を増大させることを特徴とする請求項１に記載の電子機器。
【請求項３】
前記電子部品は、表示動作を行うＬＥＤドライバを含むことを特徴とする請求項２に記載の電子機器。
【請求項４】
前記電子部品は、所定の音声出力を行うスピーカを含むことを特徴とする請求項２に記載の電子機器。
【請求項５】
前記電子部品は、一端が接地されたスイッチ素子を含むことを特徴とする請求項１に記載の電子機器。
【発明の詳細な説明】
【技術分野】
【０００１】
本発明は、電源電流を監視し、当該電流によって動作する装置の異常を検出する電子機器に関する。
【背景技術】
【０００２】
近年、市場に流通している携帯電話機に代表される電子機器には、様々なデバイスが搭載されている。上記のような電子機器においては、複数の電源電流供給ラインを有しており、各電源電流供給ラインを用いて上記のデバイスを含む負荷回路を動作させている。電源電流供給ラインに接続される各負荷回路を動作させるとき、いずれかの負荷回路等において不具合が生じると、他の正常な部分を保護すべく電源供給を遮断する機能を備える場合がある。
【０００３】
例えば、特許文献１に記載されている電子機器は、ＦＡＮモータとＳＣＡＮモータの電源電流供給ラインにヒューズを備え、いずれかのモータに異常が発生したとき、上記のヒューズが溶断して、当該モータの電源電流供給ラインを遮断し、他の回路への影響を防いでいる。
【０００４】
【特許文献１】特開２００７−１５１２６２号公報
【発明の開示】
【発明が解決しようとする課題】
【０００５】
しかしながら、電流ヒューズは、正常に動作している回路の消費電流よりも大きな定格を有するものを使用している。そのため、例えばＦＡＮモータなどの負荷回路にパーシャルショートなどが発生し、ヒューズが溶断しない程度の異常電流が流れた場合には、異常が発生した負荷回路の電源電流供給ラインを遮断することができないという問題点があった。
【０００６】
本発明は、かかる事情に鑑みてなされたものであり、その目的は、精度よく異常電流を検出し、適確に発生した障害に対処することができる電子機器を得ることにある。
【課題を解決するための手段】
【０００７】
本発明の第１の観点による電子機器は、電源部と、溶断電流値が所定の電流値であるヒューズと、前記電源部の出力端子と前記ヒューズとの間に接続する電流検出部と、前記電流検出部および前記ヒューズを介して電源電流が入力される電子回路と、前記電流検出部によって検出された電流が、前記電子回路が正常に動作しているときの正常電流値か否かを判断する制御部とを備え、前記制御部は、前記電流検出部において検出された電流量が正常電流値以上で且つ前記所定の電流値以下のとき、前記電子回路の負荷を、前記電流検出部において検出される電流量が前記所定の電流値以上となるよう制御する。
【０００８】
好適には、前記電子部品は、外部へ報知する機能を有し、前記制御部は、前記電子部品の報知の度合を大きくする制御を行って該電子部品の消費電流を増大させる。
【０００９】
好適には、前記電子部品は、表示動作を行うＬＥＤドライバを含む。
【００１０】
好適には、前記電子部品は、所定の音声出力を行うスピーカを含む。
【００１１】
好適には、前記電子部品は、一端が接地されたスイッチ素子を含む。
【発明の効果】
【００１２】
本発明によれば、実装スペースおよびコストを抑制して精度よく異常電流を検出し、確実にヒューズを溶断させて電源電流供給ラインを遮断することができる。
【発明を実施するための最良の形態】
【００１３】
以下、この発明の実施の一形態を説明する。
＜実施形態＞
図１は、本発明の実施形態による電子機器の構成を示すブロック図である。この図は、電子機器の一例である携帯電話機１の構成を示している。携帯電話機１は、制御部２、操作部３、通信部４、音源ＩＣ５ａ、スピーカ５ｂ、記憶部６、表示部７、バッテリ（電源部）１１、電源回路１２ａ，１２ｂ、電流検出抵抗（電流検出部）１３、ヒューズ１４、電流アンプ１５、ＩｒＤＡ近距離通信部１６等によって構成されている。
なお、図中の実線によるブロック間の結線は制御信号ラインを示し、図中の破線による結線は電流供給ラインを示す。
【００１４】
制御部２は、携帯電話機１の各部の動作制御を司るプロセッサ等から成る。
操作部３は、複数のキースイッチやスライドスイッチなどからなり、ユーザの操作内容を示す信号を制御部２へ入力するように構成されている。
通信部４は、制御部２の制御に応じて、携帯電話機１の外部と無線通信を行うように構成されている。
【００１５】
音源ＩＣ５ａは、制御部２の制御に応じて所定の音声等を示す信号を生成するように構成されており、当該生成した音声信号等をスピーカ５ｂへ出力し、可聴音もしくは音声を出力するように接続構成されている。
記憶部６は、制御部２が用いる制御用プログラム、ユーザによって設定された動作モード等を示すデータ、携帯電話機１の使用履歴を示すデータ、メール等の文章を示すデータ、映像データ、また、電流検出の処理に用いるデータなどを記憶しているメモリである。
【００１６】
表示部７は、例えば液晶ディスプレイや有機ＥＬディスプレイなどの表示装置であり、制御部２の制御に応じて文字や画像などを表示するように構成されている。
バッテリ１１は、充電式の二次電池であり、例えば高電位側の出力端子に電流検出抵抗１３の一端を接続させている。
電源回路１２ａ，１２ｂは、各々複数の電圧を出力するように構成されており、リニアレギュレータ（以下、ＬＤＯと記載する）やＤＣ／ＤＣコンバータを備えている。
【００１７】
電流検出抵抗１３は、例えば２３．５［ｍΩ］の抵抗値を有し、前述のように一端をバッテリ１１に接続するとともに、他端を電源回路１２ａ，１２ｂの各入力端子に接続している。なお、上記の電源回路１２ｂの入力端子には、流れる電流が所定の電流値以上になると溶断するヒューズ１４を介して接続されている。
【００１８】
電流アンプ１５は、電流検出抵抗１３の両端電圧を入力し、この電圧値を増幅して、バッテリ１１から出力される電源電流値を示す信号を制御部２へ出力するように構成されている。
ＩｒＤＡ近距離通信部１６は、携帯電話機１の近傍に位置する他の装置と、制御部２の制御に応じて、赤外線を用いたデータの送受を行うように構成されている。
【００１９】
また、携帯電話機１は、図示を省略した音声入出力部を備えており、例えば、スピーカやマイクロホンなどを備え、ユーザの通話音声等を示す信号を制御部２へ入力するとともに、制御部２の制御に応じた通話音声等を出力するように構成されている。なお、上記の通話音声等を示す信号は、制御部２の制御により、通信部４が外部と無線通信を行うときに処理される。
【００２０】
電源回路１２ａは、例えば、操作部３へ出力電圧を供給するＬＤＯ３１、通信部４へ出力電圧を供給するＬＤＯ３２、音源ＩＣ５ａへ出力電圧を供給するＤＣ／ＤＣコンバータ３３、制御部２へ出力電圧を供給するＤＣ／ＤＣコンバータ３４等を備えている。
また、ＤＣ／ＤＣコンバータ３４は、出力電圧をＬＤＯ３５へ供給するように接続されている。ＬＤＯ３５は、記憶部６へ出力電圧を供給するように接続されている。
【００２１】
電源回路１２ｂは、例えば、ＤＣ／ＤＣコンバータ３６を備えており、前述のように電流検出抵抗１３およびヒューズ１４を介してバッテリ１１の出力電圧を入力するように接続されている。ＤＣ／ＤＣコンバータ３６は、出力電圧を表示部７へ供給する。
なお、ＩｒＤＡ近距離通信部１６には、電流検出抵抗１３およびヒューズ１４を介してバッテリ１１の電源電圧が供給される。
【００２２】
図１に例示した携帯電話機１は、表示側筺体２０と操作側筺体２１とを備え、これらの筺体の一端部をヒンジ部２２によって接続し、表示側筺体２０と操作側筺体２１が開閉可能なように構成されている。
【００２３】
表示側筺体２０には、例えば、表示部７、電源回路１２ｂ、ＩｒＤＡ近距離通信部１６などが配設されている。
操作側筺体２１には、例えば、制御部２、操作部３、通信部４、音源ＩＣ５ａ、スピーカ５ｂ、記憶部６、バッテリ１１、電源回路１２ａ、電流検出抵抗１３、ヒューズ１４、電流アンプ１５、ＬＤＯ３５などが配設されている。
なお、前述のヒューズ１４は、表示側筺体２０に配設されている表示部７、ＩｒＤＡ近距離通信部１６などの負荷回路や電源電流供給ラインに異常が発生し、この異常発生個所に流れる電流が増大することによって溶断する定格を有している。
【００２４】
図２は、本実施形態による携帯電話機の他の電源接続例を示す説明図である。この図は、携帯電話機１の他の電源接続例を示している。図１に示したものと同一あるいは相当する部分に同じ符号を使用し、その部分の重複説明を省略する。図２に示した各電源回路は、図１に示したものと同様に複数のＬＤＯやＤＣ／ＤＣコンバータを備えて構成されている。
図２に示した電子デバイス（Ａ）〜（Ｃ）、および、電子デバイス（１）〜（ｎ）は、例えば図１に示した各部に備えられ、また前述のように制御部２によって動作等が制御されるように接続構成されている。
【００２５】
電源回路１２ｂは、電子デバイス（Ａ）と電子デバイス（Ｂ）に対して、各々異なる電圧を供給するように接続されている。
ヒューズ１４と電源回路１２ｂの入力端子との接続点には、電子デバイス（Ｃ）が接続される。即ち、バッテリ１１の高電位側端子から、電流検出抵抗１３およびヒューズ１４を介した電圧が、電子デバイス（Ｃ）へ供給されるように接続されている。
【００２６】
電源回路１２ａは、前述のように各々異なる電圧を出力するように構成されており、各電圧を出力する端子に電子デバイス（１）〜（ｎ）が接続されている。なお、例えば電子デバイス（２）には、二つの異なる電圧が供給され、電子デバイス（３）には、上記の電子デバイス（２）へ供給されている一方の電圧が供給される。また、電子デバイス（４）には、電源回路１２ａから異なる二つの電圧が供給される。
【００２７】
このように、携帯電話機１は、バッテリ１１の出力電流を検出する電流検出抵抗１３を備え、制御部２が、携帯電話機１の電源電流値を認識することができるように構成されている。
【００２８】
次に動作について説明する。
［携帯電話機の動作］
携帯電話機１は、操作部３になされた操作内容に応じて制御部２が各部を制御し、通信部４を制御して外部とのデータ等の送受信を行い、当該データが示す音声を前述の音声入出力部から出力する。
また、音声入出力部へ入力された音声を所定のデータ形式に変換し、通信部４を用いて外部へ送信する。上記の通信動作を行うとき、通信先等の情報を表示部７に表示させる。
【００２９】
また、制御部２は、このような通信動作を行うとき、記憶部６に記憶されている制御プログラム、通信先などに関するデータ等を用いる。
携帯電話機１は、例えば上記のような通信機能を備えており、また、図示を省略したカメラを用いた撮像機能などの各機能を備えている。ここでは、携帯電話機１を構成する上記の各部等によって実現される機能の動作説明を省略する。
【００３０】
前述のような動作を行っているとき、制御部２は、電流検出抵抗１３によって検出される電源電流を検出し、次に説明するような監視動作を行っている。なお、電流検出抵抗１３の両端電圧、即ち電流検出抵抗１３によって検出された電源電流値は制御部２の認識可能な信号値となるように、電流アンプ１５によって例えば４４倍に増幅される。
【００３１】
［異常電流の検出動作］
図３は、本実施形態の携帯電話機の動作を示すフローチャートである。
制御部２は、前述のように電流アンプ１５によって増幅された電流値、即ち電流検出抵抗１３によって検出された電源電流値を読み取る（ステップＳＴ１０１）。
【００３２】
異常電流が生じる場合には、デバイス等のハードウエアにおいて障害が発生した場合、また、当該ハードウエアを動作させているソフトウエアにおいて障害が発生した場合がある。これらの障害が発生したときには、電流値が増大する場合や電流値が小さくなる場合があり、特に、電流値が小さくなる障害を検出するためには、微小な電流変化を精度よく検出することが要求される。
図１等に示したように、携帯電話機１は、電流検出抵抗１３の両端電圧から電源電流供給ラインの電流値を検出している。前述のように、低抵抗値の電流検出抵抗１３を、電源電流供給ラインに直列接続させてバッテリ１１から出力される電流値を検出することから、各デバイスへ印加される電圧の降下を防ぐことが可能となる。
【００３３】
制御部２は、予め記憶部６に記憶されている閾値と、前述のステップＳＴ１０１の工程において読み取った電源電流値とを比較する（ステップＳＴ１０２，ＳＴ１０３）。上記の閾値は、例えば数百［ｍＡ］の値を有している。
【００３４】
制御部２は、前述の比較において、電源電流値が閾値と等しい、または閾値を超えていると判定したときには、当該閾値を超えた回数をカウントして、例えば制御部２自らが備える記憶手段に上記の回数を記憶する（ステップＳＴ１０４）。詳しくは、上記の記憶手段に記憶されている回数に“１”を加算し、インクリメントした値を最新の“閾値を超えた回数”として記憶させる。
【００３５】
なお、前述のように、異常電流には、通常よりも電流値が増大する場合と、通常よりも減少する場合がある。これらの異常電流を検出するために、電流値が増大した場合の閾値と、電流値が減少した場合の閾値とを用いて、電流検出抵抗１３の両端電圧から読み取った電源電流値と比較するようにしてもよい。このときには、前述の閾値を超えた回数を、電流値が閾値よりも大きい場合と閾値よりも小さい場合に分けてカウントする。
【００３６】
ステップＳＴ１０３の工程において、読み取った電源電流値が閾値を超えておらず、また閾値と等しくもないと判定したときには、前述の記憶手段に記憶されている閾値を超えた回数をリセットする（ステップＳＴ１０５）。また、上記の回数をリセットした後、処理タイミングを調整するウエイト処理を行って（ステップＳＴ１０６）、前述のステップＳＴ１０１の工程に戻り、以降の各工程を同様に行う。
上記のステップＳＴ１０６の工程において、制御部２は、電源電流の監視動作、即ち、前述の閾値を用いた判定動作を一定周期毎に行うように、次の処理動作を開始するタイミングを調整する。このように、制御部２は、所定の周期毎に電流検出動作を行い、電流検出に要する消費電流を抑制する。
【００３７】
制御部２は、ステップＳＴ１０４の工程において、閾値を超えた回数を記憶させた後、この閾値を超えた回数がＮ回であるか否かを判定する（ステップＳＴ１０７）。
制御部２は、前述の閾値を超えた回数をカウントすることにより、各電源電流供給ラインに生じているノイズ、各信号等から発せられたノイズ、各部が動作を開始するときなどに生じる突入電流などによる誤判定を排除するようにしている。即ち、前述の“Ｎ回”は、上記のような誤判定を抑制することができる適当な回数である。
また、このように複数回の閾値超えに対応して異常電流の有無を判定することにより、制御部２自らを構成するデバイス等においてリードエラーなどが発生したときの誤判定に基く誤った制御を、当該制御部２が行うことを防ぐことも可能になる。
【００３８】
ステップＳＴ１０７の工程において、制御部２は、閾値を超えた回数がＮ回であると判定したときには、異常電流が流れていると判断する。
このように異常電流を検出したと判断したとき、制御部２は、例えば表示部７を制御して液晶表示装置のバックライトを最も明るく点灯させ、表示部７において消費される電流が最大になるように動作させる。
即ち、ヒューズ１４を介してバッテリ１１からの電源電流が供給されているデバイスの消費電流が最大となるように、当該デバイスを制御する（ステップＳＴ１０８）。
【００３９】
表示部７などのデバイスとともに、ヒューズ１４を介して電源電流が供給されている部分に異常が発生している場合には、上記のようにデバイスを動作させることによってヒューズ１４の定格を十分超えた電流が流れ、確実にヒューズ１４が溶断される。
【００４０】
また、制御部２は、例えば、音源ＩＣ５ａを制御して所定の警告音をスピーカ５ｂから出力させ、ユーザに携帯電話機１の異常を警告する（ステップＳＴ１０９）。
またさらに、制御部２は、前述のように異常電流を検出したとき、デバイスの動作状態もしくは設定状態、また、検出電流値等の詳細情報をエラーログとして例えば記憶部６へ記憶させる（ステップＳＴ１１０）。
【００４１】
このエラーログは、操作部３等に所定の操作がなされたとき、または、障害解析装置等が外部接続されたとき、当該外部接続された装置へ出力される。または、制御部２の制御により表示部７などへ表示するようにしてもよい。
【００４２】
制御部２は、前述のようにエラーログを記憶させた後、例えば、携帯電話機１をシャットダウン状態とする処理を実行する（ステップＳＴ１１１）。なお、携帯電話機１をリセット状態として、正常な状態へ復帰させるように制御してもよい。
また、ステップＳＴ１０７の工程において、制御部２は、閾値を超えた回数がＮ回ではない、即ちＮ回未満であると判定したとき、処理タイミングを調整するウエイト処理を行い（ステップＳＴ１０６）、ステップＳＴ１０１の工程に戻って以降の各工程を同様に行う。
【００４３】
［異常電流検出時の制御］
図４は、本実施形態の携帯電話機の動作を示す説明図である。この図は、前述のステップＳＴ１０８の工程において、制御部２の制御によりデバイスの消費電流を最大にする動作を示している。
図４に示したデバイス４０は、表示側筺体２０に配設されている負荷回路であり、例えば前述の表示部７である。ここでは、電流ＩＢＡＴ１は表示部７の消費電流である。
【００４４】
図中破線で囲った故障個所４１は、ヒューズ１４を介して電源電流が供給される負荷回路、もしくはデバイスなどである。電流ＩＢＡＴ２は、例えばショートが発生した故障個所４１に流れる電流である。
図４に示したように表示側筺体２０に配設された部分に、故障が発生した場合、ヒューズ１４にはＩＢＡＴ１＋ＩＢＡＴ２の電流が流れる。
ヒューズ１４は、例えば図１に示した電源回路１２ｂ、表示部７、ＩｒＤＡ近距離通信部１６等が正常に動作しているとき、詳しくは消費電流が最大となる動作を行なったときでも溶断しない定格を有する電流ヒューズである。
【００４５】
電流ヒューズは、定格の１１０［％］の電流が流れたときには溶断しないことがある。また、定格の１３５［％］の電流が流れたときでも、常温の環境において２分程度の間、電流が流れることがある。
上記の電源回路１２ｂ、表示部７、ＩｒＤＡ近距離通信部１６等が動作しているとき、特に電流消費の少ない状態となっているとき、いずれかの部分に異常が発生して消費電流が増大しても、ヒューズ１４が溶断する電流に達しない場合がある。
具体的には、図４に示したデバイス４０が正常に動作して電流ＩＢＡＴ１が流れ、また、故障個所４１に異常な電流ＩＢＡＴ２が流れて、ヒューズ１４にＩＢＡＴ１＋ＩＢＡＴ２の電流が流れたときに溶断しないことがある。
【００４６】
前述のようにヒューズ１４が溶断することなく、図４に示した故障個所４１に異常な電流ＩＢＡＴ２が流れた場合には、ヒューズ１４を含んでいる電源電流供給ラインや当該ヒューズ１４を介して電流が供給されている各負荷回路などにダメージが及ぶことがある。
上記のような異常電流によるダメージを防ぐため、制御部２は、前述のステップＳＴ１０８の工程において、デバイス４０を制御して当該デバイス４０における消費電流を増大させ、ヒューズ１４を溶断させる。
【００４７】
デバイス４０は、前述のように例えば表示部７である。
制御部２は、ステップＳＴ１０８の工程において、デバイス４０の消費電流を増大させるとき、例えば、表示部７に備えられた複数のＬＥＤを点灯させるＬＥＤドライバを制御し、各ＬＥＤを最も明るく点灯させて消費電流を増大させる。
このように、ヒューズ１４を確実に溶断させるためにＬＥＤなどを明るく点灯させると、この明光によりユーザ等に携帯電話機１の異常発生を報知することもできる。
【００４８】
また、デバイス４０の消費電流を増大させる制御として、例えば図示を省略した前述の音声入出力部の動作を制御する。詳しくは、当該音声入出力部の一部分である音声出力部のスピーカから警告音等を出力させる。
即ち、図４のデバイス４０として、上記の音声出力部のスピーカやパワーアンプ等を用いる。このスピーカは、当該スピーカを駆動するパワーアンプ等とともに表示側筺体２０に配設されており、制御部２の制御に応じて音声等を出力するように接続構成されている。
また、上記のスピーカ等を駆動する電力は、例えば電源回路１２ｂから供給され、バッテリ１１からヒューズ１４を介して供給されている。
【００４９】
また、デバイス４０として、ＯＮ／ＯＦＦ接点を有するスイッチング素子を含む負荷回路を用い、このスイッチング素子の動作を制御して、ヒューズ１４を溶断するようにしてもよい。
このスイッチング素子は、制御部２の制御により上記の接点動作が制御されるように当該負荷回路を構成しており、例えば一方の接点を当該負荷回路のＧＮＤ等に接続し、等価回路的に接地接続をＯＮ／ＯＦＦさせるものである。
【００５０】
制御部２は、ヒューズ１４が挿入されていない電源電流供給ラインに異常電流が流れたときには、ヒューズ１４が溶断することのないように各部を制御し、いずれかの部分の点灯や警告音の出力などでユーザに異常を報知するようにしてもよい。
【００５１】
例えば、各負荷回路の正常な状態における消費電流値は、予め分かっていることから、制御部２は、上記の値をいずれかの記憶手段に記憶させておく。
このようにすると、制御部２は、自ら行っている携帯電話機１の各部の制御内容から、当該各部の負荷回路の稼働状態を認識し、また、上記の記憶手段に記憶させておいた消費電流値を参照することにより、現在の動作状態における正常な消費電流を認識することが可能である。
【００５２】
また、携帯電話機１を構成する各部、もしくは各負荷回路等の故障時に流れる最大の異常電流値も概ねわかっている。即ち、電源電流供給ライン毎に異常が発生したときの電流値がわかっている。制御部２は、この異常電流値をいずれかの記憶手段に記憶させておき、異常電流を検出した際に上記の値を参照することにより、故障個所、もしくは故障個所に接続している電源電流供給ラインを認識することが可能である。
【００５３】
このような制御を行うとき、例えば、制御部２は、各部の動作状態、もしくは、電源電流供給ライン毎に、異常電流となる値に対応させた各閾値を予め設定しておき、これらの閾値を適当に用いて前述のような異常電流の判定を行う。
制御部２は、異常電流であると判定したときに用いた閾値が、ヒューズ１４を含む電源電流供給ラインに対応させたものではないとき、ヒューズ１４を溶断させないように各部の動作を制御する。
このように動作処理を行うことにより、前述のようにヒューズ１４を溶断させないように各部を制御しながら、ユーザに異常を報知することが可能になる。
【００５４】
また、制御部２が、いずれかの負荷回路もしくはデバイスへ制御信号等を送出し、当該デバイス等から正常な信号等の応答がなかったとき、この応答動作に基づいて故障個所を認識する。また、制御部２は、認識した故障個所がヒューズ１４の挿入されていない電源電流供給ラインであると判断したとき、前述のように各部を制御して報知動作を行うようにしてもよい。
【００５５】
前述のように、ヒューズ１４を溶断させないように制御することにより、軽度のハードウエアの障害やソフトウエアによる障害などが発生したときには、携帯電話機１を正常な状態に復帰することが可能になる。
具体的には、携帯電話機１の電源オフ、またはリセット等の操作によって障害が解決して正常動作が可能になる場合には、ヒューズ１４を溶断させていないため、全ての電源電流供給ラインに電流が供給され、各部を動作可能な状態に復帰させることができる。
【００５６】
以上のように、本実施形態によれば、バッテリ１１の端子に低抵抗値の電流検出抵抗１３を接続し、電源電流を監視して異常電流を検出するようにした。また異常電流を検出したとき、負荷回路を成すデバイス４０の消費電流を増大させる制御を行うようにした。
このことにより、電流を検出する部品点数を抑制することができ、実装スペースおよびコストを抑えることができる。
【００５７】
また、電源電流供給ラインに直列接続された低抵抗値の電流検出抵抗１３を用いることにより、微細な電流変動を検出することができ、異常電流の検出精度を向上させることができる。
また複数回所定の閾値を超えたとき、異常電流を検出したと判定するようにしたので、電源電流供給ラインにおいて発生したノイズ、また他の制御信号ライン等から電源電流供給ラインに侵入したノイズ、突入電流等の影響を抑制して異常を検出することができる。
また、制御部２を構成するデバイス等のリードエラーによる異常電流の誤検出を抑えることができる。
【００５８】
また、電流値が増大した異常電流とともに、電流値が減少した異常電流を検出することもでき、ハードウエアならびにソフトウエアの様々な異常を検出することができる。
また、異常電流が流れてもヒューズ１４が溶断しないとき、デバイス４０の動作により確実にヒューズ１４を溶断し、異常電流が流れ続けることによる障害を防ぐことができる。
【図面の簡単な説明】
【００５９】
【図１】本発明の実施形態による電子機器の構成を示すブロック図である。
【図２】本実施形態による携帯電話機の他の電源接続例を示す説明図である。
【図３】本実施形態の携帯電話機の動作を示すフローチャートである。
【図４】本実施形態の携帯電話機の動作を示す説明図である。
【符号の説明】
【００６０】
１…携帯電話機、２…制御部、３…操作部、４…通信部、５ａ…音源ＩＣ、５ｂ…スピーカ、６…記憶部、７…表示部、１１…バッテリ、１２ａ，１２ｂ…電源回路、１３…電流検出抵抗、１４…ヒューズ、１５…電流アンプ、１６…ＩｒＤＡ近距離通信部、２０…表示側筺体、２１…操作側筺体、２２…ヒンジ部、３１，３２，３５…ＬＤＯ、３３，３４，３６…ＤＣ／ＤＣコンバータ、４０…デバイス、４１…故障個所。
【図１】
2010110135.tif 000003
【図２】
2010110135.tif 000004
【図３】
2010110135.tif 000005
【図４】
2010110135.tif 000006